(57)【要約】【課題】取引に使用するカード磁気ストライプ情報を選択するために複数表示された選択ボタンの中から希望する選択ボタンを顧客が容易に選択することができるようにする。【解決手段】取引の終了時に、カード磁気ストライプ情報毎の利用情報をＩＣカード５に記録しておき、取引の開始時に、ＩＣカード５に記録された利用情報をカード部１２が読み取り、その利用情報に応じてカード磁気ストライプ情報を選択するための選択ボタンの位置、大きさ、色を替えて表示させるようにした。【選択図】        図１
2008242782.tif 000002
【特許請求の範囲】
【請求項１】
複数のカードのカード情報が記録されたＩＣカードから前記カード情報を読み取るカード部と、読み取ったカード情報に対応付けた選択受付部を表示し、その選択受付部の選択操作を受け付ける顧客操作表示部とを備え、その選択受付部で選択されたカード情報に基づいて取引を行う自動取引装置において、
取引の終了時に、使用されたカード情報に関連付けて該取引の利用情報をＩＣカードに記録するカード利用情報書込部を設け、
取引の開始時に、前記ＩＣカードに記録された利用情報をカード部が読み取り、その利用情報に応じて選択受付部の属性を替えて表示させるようにしたことを特徴とする自動取引装置。
【請求項２】
請求項１の自動取引装置において、
前記利用情報を、取引を行った回数を示す利用回数、取引を行った直近の日付を示す最新利用日付のいずれか一以上としたことを特徴とする自動取引装置。
【請求項３】
請求項１または請求項２の自動取引装置において、
前記属性を、位置、大きさ、色のいずれか一以上としたことを特徴とする自動取引装置。
【発明の詳細な説明】
【技術分野】
【０００１】
本発明は、金融機関等の店舗やコンビニエンスストア等に設置され、顧客の操作によるＩＣカードの挿入を受け付けて各種取引を行う自動取引装置に関する。
【背景技術】
【０００２】
従来の自動取引装置は、複数のカード情報を１枚の磁気ストライプ付カードやＩＣチップを内蔵したＩＣカードに記録した多機能カードからすべてのカード情報を一度に読取り、読取ったカード情報を選択するための操作ボタンを表示部に並べて表示させ、顧客に選択させるようにしている（例えば、特許文献１参照）。
【特許文献１】特開平７−３３４６３３号公報（段落「００１８」〜段落「００２０」、図４）
【発明の開示】
【発明が解決しようとする課題】
【０００３】
しかしながら、上述した従来の技術においては、ＩＣカード等に記録されたカード情報の数が多くなるとそのカード情報を選択するために表示される操作ボタンも多くなり、またその操作ボタンは登録順に表示されることが多く、顧客は希望するカード情報を選択する操作に時間がかかってしまうという問題がある。
本発明は、このような問題を解決することを課題とする。
【課題を解決するための手段】
【０００４】
そのため、本発明は、複数のカードのカード情報が記録されたＩＣカードから前記カード情報を読み取るカード部と、読み取ったカード情報に対応付けた選択受付部を表示し、その選択受付部の選択操作を受け付ける顧客操作表示部とを備え、その選択受付部で選択されたカード情報に基づいて取引を行う自動取引装置において、取引の終了時に、使用されたカード情報に関連付けて該取引の利用情報をＩＣカードに記録するカード利用情報書込部を設け、取引の開始時に、前記ＩＣカードに記録された利用情報をカード部が読み取り、その利用情報に応じて選択受付部の属性を替えて表示させるようにしたことを特徴とする。
【発明の効果】
【０００５】
このようにした本発明は、顧客は希望するカード（磁気ストライプ）情報を容易に選択することができるようになり、顧客の利便性を向上させることができるという効果が得られる。
【発明を実施するための最良の形態】
【０００６】
以下、図面を参照して本発明による自動取引装置の実施例を説明する。
【実施例】
【０００７】
図１は実施例における自動取引装置の構成を示すブロック図である。
図１において、１は自動取引装置であり、銀行等の金融機関の店舗またはコンビニエンスストア等の店舗等に設置されるものである。この自動取引装置１は顧客の操作により現金引出しや現金入金および振込み等の取引ができるものである。また、通信回線２に通信可能に接続されている。
【０００８】
５はＩＣカードであり、ＩＣチップ等の記憶素子を備えたものである。このＩＣカード５は自動取引装置１を使用するそれぞれの顧客が所持するものであり、予めその顧客の口座番号等の口座情報およびＩＣカード毎に一意に付与されたＩＣカードＩＤ情報等を記憶したものである。
また、このＩＣカード５は、銀行キャッシュカードの磁気ストライプに記録された顧客の口座番号等の口座情報やクレジットカードの磁気ストライプに記録されたクレジット番号等の情報をその記憶素子に記憶させる、すなわち、カードの磁気ストライプに記録された情報（以下、「カード磁気ストライプ情報」という。）等をカード情報として登録することができるものである。
【０００９】
このＩＣカード５の記憶素子は充分な記憶容量を有し、複数枚のカードのカード磁気ストライプ情報を記憶することができるものとする。
なお、ＩＣカード５に記憶される情報の詳細は後述する。
通信回線２には銀行等の金融機関の事務センタ等に設置される自動取引装置１の上位装置である図示しないホストコンピュータが接続されている。このホストコンピュータはＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部および通信手段である通信部等を備えるものであり、通信回線２を介して自動取引装置１等と相互に通信可能に接続されている。
【００１０】
また、このホストコンピュータは自動取引装置１との間で現金引出し、現金入金、振込み等の取引電文の送受信を行い顧客の取引を成立させるか否かを判断するとともにその取引の処理を行う。さらに、顧客の口座番号と顧客の暗証番号等で本人であるか否かの本人認証も行う。
次に、自動取引装置１の構成を説明する。
【００１１】
１１は顧客操作表示部であり、タッチパネル等の操作部および液晶ディスプレイ等の表示部で構成されたものである。この顧客操作表示部１１はＣＲＴディスプレイや液晶ディスプレイ等の表示部上にタッチパネルを配置し顧客が行う入力操作等を検知するものであり、また、取引選択画面、顧客が選択した取引に対して顧客の入力操作等の誘導を行う画面および入力された情報等を表示するものである。
【００１２】
顧客操作表示部１１で検知した入力操作等は後述する制御部に信号を出力して通知する。
１２はカード部であり、カード読取り書込み機構およびカード搬送機構等を備えたものである。このカード部１２は、ＩＣカードリードライト部１２１および磁気カードリードライト部１２２で構成され、ＩＣカードリードライト部１２１は顧客の操作によりカード挿入返却口に挿入する（接触型ＩＣカードの場合）、または、読み書き面に近づける（非接触型ＩＣカードの場合）ことによりＩＣカード５の記憶素子から情報を読取り、また、任意の情報を記憶させることができ、磁気カードリードライト部１２２は顧客の操作によりカード挿入返却口に挿入されたカードの磁気ストライプから記録された情報を読取り、また任意の情報を記録することができる。
【００１３】
なお、以下の説明は、接触型ＩＣカードを用いたものとして説明する。
情報の読取りまたは書込みが終了したカードはカード挿入返却口から排出して顧客に返却する。このカード挿入返却口はカードの挿入を検知する機構およびカードの受取りを検知する機構を設けたものである。
１３は入出金部であり、紙幣入出金機および硬貨入出金機で構成されたものである。この入出金部１３は現金引出し取引や現金入金取引に伴う紙幣や硬貨の入出金処理を行なう。ここで、入金処理とは顧客が入出金口に入れた紙幣を紙幣入出金機で計数して金庫に収納し、入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し入出金口に搬送して顧客に払い出すことである。
【００１４】
この入出金口は挿入された紙幣ならびに硬貨を検知する機構および搬送された紙幣ならびに硬貨の受取りを検知する機構を設けたものである。
なお、入出金部１３は紙幣入出金機および硬貨入出金機で構成されたものに限られることなく、紙幣入出金機のみで構成されたものであってもよく、さらに、この入出金部１３を備えないものであってもよい。
【００１５】
１４は記憶部であり、半導体メモリや磁気ディスク等で構成され情報を記憶し、記憶した情報を読取ることができるものである。この記憶部１４には自動取引装置１全体の動作を制御する制御プログラム（ソフトウェア）、顧客操作表示部１１に表示する画面データおよび顧客が行う取引に必要な情報等を記憶し、また、この自動取引装置１で取り扱い可能なカードであることを識別するためのカード識別情報、およびそのカード識別情報に関連付けられたカード名称等で構成される利用可能カード情報を記憶する。
【００１６】
１５は制御部であり、ＣＰＵ等の演算および制御手段等で構成されたものである。この制御部１５は顧客操作表示部１１、カード部１２、入出金部１３、記憶部１４、および通信制御を行う通信部を含めて自動取引装置１全体の動作を記憶部１４に格納された制御プログラム（ソフトウェア）に基づいて制御する。
また、制御部１５はカード情報書込部１５１、カード情報利用部１５２、およびカード利用情報書込部１５５を有し、カード情報書込部１５１はカードの磁気ストライプ等から読取ったカード磁気ストライプ情報をＩＣカード５の記憶素子に記憶させ、カード情報利用部１５２はＩＣカード５から読取った情報に基づいて取引を実行し、カード利用情報書込部１５５はＩＣカード５から読取った情報に基づいて実行した取引の回数である利用回数や取引を実行した直近の年月日等である最新利用日付をＩＣカード５記憶素子に記憶させる。
【００１７】
さらに、カード情報利用部１５２はカード情報取得手段１５３およびカード情報比較手段１５４で構成され、カード情報取得手段１５３はカード部１２のＩＣカードリードライト部１２１を介してＩＣカード５に登録されているカード磁気ストライプ情報を読み出し、カード情報比較手段１５４はＩＣカード５から読み出したカード磁気ストライプ情報に基づいて記憶部１４に記憶された利用可能カード情報を検索し、そのカード磁気ストライプ情報による取引の可否を判断する。
【００１８】
なお、制御部１５は日時や時刻等を計測する手段であるカレンダーおよび時計機能等も有している。
図２は実施例におけるＩＣカード５に記憶する情報の説明図である。
図２において、２１は登録番号であり、通番等の管理番号を記憶するものである。
２２はカードストライプ情報であり、銀行キャッシュカードの磁気ストライプに記録された顧客の口座番号等の口座情報やクレジットカードの磁気ストライプに記録されたクレジット番号等の情報を記憶するものである。
【００１９】
２３はカード名称であり、登録番号２１およびカードストライプ情報２２に対応するカードの名称、例えば、「Ａ銀行キャッシュカード」、「Ｂ銀行キャッシュカード」、「Ａクレジットカード」、「Ｂクレジットカード」等のカードの名称を格納したものである。
２４は利用回数であり、登録番号２１およびカードストライプ情報２２に対応するカードを利用した回数を格納したものである。
【００２０】
２５は最新利用日付であり、登録番号２１およびカードストライプ情報２２に対応するカードを利用した直近の日付け（年月日）を格納したものである。例えば、「２００７．１．３１」は西暦２００７年１月３１日を示すものとする。なお、最新利用日付２５にカードを利用した時刻を付加して格納するようにしてもよい。
登録番号２１、カードストライプ情報２２、カード名称２３、利用回数２４、および最新利用日付２５はカード毎に記憶され、複数のカードから読取ったカード磁気ストライプ情報を記憶することができるものとする。
【００２１】
なお、自動取引装置１の記憶部１４は自動取引装置１で取り扱うことができるカードを識別するための情報（例えばカード磁気ストライプ情報に含まれ普通預金口座または総合預金口座を扱う銀行キャッシュカードや信販会社等が発行するクレジットカード等のカードの種類毎に付与された情報）を格納しているものとする。
上述した構成の作用について説明する。
【００２２】
なお、以下に説明する各部の動作は、図示しないメモリや磁気ディスク等の記憶手段に格納されたプログラム（ソフトウェア）に基づいて図示しない中央処理装置等の制御手段により制御される。
まず、自動取引装置１で行うカード磁気ストライプ情報をＩＣカード５に登録する処理を説明する。
【００２３】
図３は実施例におけるカードデータの登録処理を示すフローチャートであり、図中Ｓで表すステップにしたがって説明する。
Ｓ１ａ：図示しない近接センサにより顧客の接近を検知すると自動取引装置１の顧客操作表示部１１は図４に示す取引選択画面を表示する。この取引選択画面は、「いらっしゃいませ  ご希望のお取引を押してください」等の文言および「外貨預金」、「データ登録」、「入金」、「支払」等の取引選択ボタンから構成されるものである。
【００２４】
Ｓ２ａ：顧客により「データ登録」の取引選択ボタンが押下されるものとする。
Ｓ３ａ：「データ登録」の取引選択ボタンの押下を検知すると制御部１５は図５に示すＩＣカード挿入誘導画面を表示する。このＩＣカード挿入誘導画面は「ＩＣキャッシュカードをお入れください。」等の文言、取引選択画面に戻す「取消」ボタンおよびカードのイラスト等で構成されたものである。顧客はこのＩＣカード挿入誘導画面にしたがって所持するＩＣカード５をカード挿入返却口から挿入するものとする。
【００２５】
カード部１２は顧客により挿入されたＩＣカード５を引き込み、ＩＣカードリードライト部１２１により顧客の口座番号等の口座情報を読取る。
また、ＩＣカード５が挿入されると顧客操作表示部１１は図６に示す顧客の暗証番号の入力を受け付ける暗証番号入力画面を表示する。この暗証番号入力画面には「１」から「９」および「０」ボタン等で構成されるテンキーおよび取引を中断させる「取消」ボタン、テンキーにより入力した暗証番号を訂正する「訂正」ボタン等の操作ボタンを表示する。顧客操作表示部１１が暗証番号入力画面を表示すると顧客は表示されたテンキー等の操作ボタンを押下して暗証番号を入力する。顧客が暗証番号を入力すると制御部１５は通信部を介してその暗証番号をカードから読取った口座番号等とともにホストコンピュータへ送信する。このとき、顧客操作表示部１１は図７に示す通信画面を表示するものとする。この通信画面は、「ホスト通信中（ＩＣカード承認中）」等の文言で構成されるものである。
【００２６】
Ｓ４ａ：ホストコンピュータは受信した顧客の口座番号に基づいて図示しない顧客データベースを検索し暗証番号を抽出し、受信した暗証番号と比較して一致するか否かの照合、つまり、本人認証を行う。ホストコンピュータは通信部を介してその結果を自動取引装置１へ送信する。
Ｓ５ａ：本人認証の結果、本人であることが確認できると顧客操作表示部１１は図８に示す登録カード挿入誘導画面を表示する。この登録カード挿入誘導画面は「登録したいキャッシュカードまたはクレジットカードをお入れください。」等の文言、取引を中断する「取消」ボタンおよびカードのイラスト等で構成されるものである。顧客は登録カード挿入誘導画面にしたがってカードを挿入するものとする。
【００２７】
カードの挿入を受け付けると磁気カードリードライト部１２２は挿入された。
Ｓ６ａ：カードの磁気ストライプを読み取ると顧客操作表示部１１は図９に示す顧客の暗証番号の入力を受け付ける暗証番号入力画面を表示する。この暗証番号入力画面には「１」から「９」および「０」ボタン等で構成されるテンキーおよび取引を中断させる「取消」ボタン、テンキーにより入力した暗証番号を訂正する「訂正」ボタン等の操作ボタンおよび「登録するカードの暗証番号を押してください。」等の文言を表示する。顧客操作表示部１１が暗証番号入力画面を表示すると顧客は表示されたテンキー等の操作ボタンを押下して暗証番号を入力する。顧客が暗証番号を入力すると制御部１５は通信部を介してその暗証番号をカードから読取った口座番号等とともにホストコンピュータへ送信する。このとき、顧客操作表示部１１は図１０に示す通信画面を表示するものとする。この通信画面は、「ホスト通信中（登録カード承認中）」等の文言で構成されるものである。
【００２８】
ホストコンピュータは受信した顧客の口座番号に基づいて図示しない顧客データベースを検索し暗証番号を抽出し、受信した暗証番号と比較して一致するか否かの照合、つまり、本人認証を行う。ホストコンピュータは通信部を介してその結果を自動取引装置１へ送信する。
Ｓ７ａ：本人認証の結果、本人であることが確認できるとカード情報書込部１５１の指示によりＩＣカードリードライト部１２１はカードから読取ったカード磁気ストライプデータとともにそのカード磁気ストライプデータを記憶素子に書込むことを指示する電文をＩＣカード５へ送信する。
【００２９】
ＩＣカード５は受信したカード磁気ストライプデータをカードストライプ情報２２に記憶させるとともに付与した管理番号を登録番号２１に記憶させる。また、カード名称２３に所定のカード名称、利用回数２４に「０」、最新利用日付２５に「―」等の初期データを記憶させる。
なお、カード名称２３は記憶部１４に記憶された利用可能カード情報のカード名称を記憶させるものとする。
【００３０】
Ｓ８ａ：ＩＣカード５にカード磁気ストライプデータ等が書き込まれると制御部１５の指示によりカード部１２はカードを顧客に返却し、顧客操作表示部１１は図１１に示すカード受取り誘導画面を表示する。このカード受取り誘導画面は「カードをお受け取りください。」等の文言およびカードのイラスト等で構成されたものである。
Ｓ９ａ：返却されたカードを顧客が受取ると制御部１５の指示によりカード部１２はＩＣカード５を顧客に返却し、顧客操作表示部１１は図１２に示すＩＣカード受取り誘導画面を表示する。この振込カード受取り誘導画面は「ＩＣキャッシュカードをお受け取りください。ありがとうございました。」等の文言およびカードのイラスト等で構成されたものである。
【００３１】
このようにしてカード磁気ストライプ情報をＩＣカード５に登録する。
次に、カード磁気ストライプ情報を登録したＩＣカード５を使用した取引について説明する。
図１３は本実施例における登録カードの利用処理を示すフローチャートであり、図中Ｓで表すステップにしたがって説明する。
【００３２】
Ｓ１ｂ：図示しない近接センサにより顧客の接近を検知すると自動取引装置１の顧客操作表示部１１は図１４に示す取引選択画面を表示する。この取引選択画面は、「いらっしゃいませ  ご希望のお取引を押してください」等の文言および「外貨預金」、「データ登録」、「入金」、「支払」、「他カード機能利用」等の取引選択ボタンから構成されるものである。
【００３３】
Ｓ２ｂ：顧客により「他カード機能利用」の取引選択ボタンが押下されるものとする。
Ｓ３ｂ：「他カード機能利用」の取引選択ボタンの押下を検知すると制御部１５は図５に示すＩＣカード挿入誘導画面を表示する。顧客はこのＩＣカード挿入誘導画面にしたがって所持するＩＣカード５をカード挿入返却口から挿入するものとする。
カード部１２は顧客により挿入されたＩＣカード５を引き込み、ＩＣカードリードライト部１２１により顧客の口座番号等の口座情報を読取る。
【００３４】
また、ＩＣカード５が挿入されると顧客操作表示部１１は図６に示す顧客の暗証番号の入力を受け付ける暗証番号入力画面を表示する。顧客操作表示部１１が暗証番号入力画面を表示すると顧客は表示されたテンキー等の操作ボタンを押下して暗証番号を入力する。顧客が暗証番号を入力すると制御部１５は通信部を介してその暗証番号をカードから読取った口座番号等とともにホストコンピュータへ送信する。このとき、顧客操作表示部１１は図７に示す通信画面を表示するものとする。
【００３５】
Ｓ４ｂ：ホストコンピュータは受信した顧客の口座番号に基づいて図示しない顧客データベースを検索し暗証番号を抽出し、受信した暗証番号と比較して一致するか否かの照合、つまり、本人認証を行う。ホストコンピュータは通信部を介してその結果を自動取引装置１へ送信する。
Ｓ５ｂ：本人認証の結果、本人であることが確認できるとカード情報利用部１５２はカード情報取得手段１５３によりＩＣカードリードライト部１２１を介してＩＣカード５に記憶されたすべてのカードストライプ情報２２、カード名称２３、利用回数２４、および最新利用日付２５を読取る。
【００３６】
Ｓ６ｂ：カード情報取得手段１５３によりＩＣカード５に記憶されたカードストライプ情報２２、カード名称２３、利用回数２４、および最新利用日付２５を読取るとカード情報比較手段１５４は読取ったカードストライプ情報２２に含まれるカード識別情報に基づいて記憶部１４に記憶した利用可能カード情報のカード識別情報を検索する。一致するカード識別情報が存在したときカード情報比較手段１５４はＩＣカード５を利用することが可能であると判定する。
【００３７】
Ｓ７ｂ：ＩＣカード５を利用することが可能であると判定されると制御部１５の指示により顧客操作表示部１１は利用カード選択画面を表示する。この利用カード選択画面は「取引するカードを選択してください」等の文言および、カードの選択操作を受け付けるための選択受付部であるカード名称を表示した「Ａ銀行キャッシュカード」、「Ａクレジットカード」等の選択ボタン（入力操作手段）で構成されるものである。
【００３８】
ここで、Ｓ５ｂでＩＣカード５から読取った登録番号２１（利用できるカード磁気ストライプ情報）が「１」から「８」まで存在し、その登録番号２１の「１」から「８」にそれぞれ対応してカード名称２３が「Ａ銀行キャッシュカード」、「Ｂ銀行キャッシュカード」、「Ｃ銀行キャッシュカード」、「Ｄ銀行キャッシュカード」、「Ａクレジットカード」、「Ｂクレジットカード」、「Ｃクレジットカード」、「Ｄクレジットカード」であり、利用回数２４および最新利用日付２５がすべて初期化された「０」、「―」である場合、図１５（ａ）に示すように登録番号２１の昇順に画面の左縦列の上から「Ａ銀行キャッシュカード」、「Ｂ銀行キャッシュカード」、「Ｃ銀行キャッシュカード」、「Ｄ銀行キャッシュカード」、次に画面の右縦列の上から「Ａクレジットカード」、「Ｂクレジットカード」、「Ｃクレジットカード」、「Ｄクレジットカード」の選択ボタン（入力操作手段）が配置された利用カード選択画面を表示する。
【００３９】
なお、左縦列に銀行キャッシュカード、右縦列にクレジットカードを分類して表示するものとする。
また、ＩＣカード５から読取った登録番号２１が「１」から「８」まで存在し、その登録番号２１の「１」から「８」にそれぞれ対応してカード名称２３が「Ａ銀行キャッシュカード」、「Ｂ銀行キャッシュカード」、「Ｃ銀行キャッシュカード」、「Ｄ銀行キャッシュカード」、「Ａクレジットカード」、「Ｂクレジットカード」、「Ｃクレジットカード」、「Ｄクレジットカード」であり、利用回数２４が「０」、「１」、「３」、「１０」、「０」、「５」、「０」、「０」である場合は、図１５（ｂ）に示すように利用回数が多い順に画面の左縦列の上から「Ｄ銀行キャッシュカード」、「Ｃ銀行キャッシュカード」、「Ｂ銀行キャッシュカード」、「Ａ銀行キャッシュカード」、また画面の右縦列の上から「Ｂクレジットカード」、「Ａクレジットカード」、「Ｃクレジットカード」、「Ｄクレジットカード」の選択ボタン（入力操作手段）が配置された利用カード選択画面を表示する。
【００４０】
このとき、画面の左縦列の最上位、および右縦列の最上位の選択ボタンの大きさを他の選択ボタンよりも大きくして表示するようにしてもよく、また選択ボタンの色を他の選択ボタンと異なる色にするようにして顧客に分かりやすくするようにしてもよい。
なお、利用回数２４が同じ場合、最新利用日付２５が近い選択ボタンが上になるように表示する。例えば、登録番号２１の「１」から「８」にそれぞれ対応してカード名称２３が「Ａ銀行キャッシュカード」、「Ｂ銀行キャッシュカード」、「Ｃ銀行キャッシュカード」、「Ｄ銀行キャッシュカード」、「Ａクレジットカード」、「Ｂクレジットカード」、「Ｃクレジットカード」、「Ｄクレジットカード」であり、利用回数２４が「０」、「１」、「３」、「１０」、「０」、「５」、「０」、「５」であり（ＢクレジットカードおよびＤクレジットカードの利用回数２４が「５」であって同じ）、Ｂクレジットカードの最新利用日付２５が「２００７．１．１０」、Ｄクレジットカードの最新利用日付２５が「２００７．１．１１」である場合、図１５（ｃ）に示すように「Ｄクレジットカード」の選択ボタンを「Ｂクレジットカード」の選択ボタンの上に配置されるようにした利用カード選択画面を表示する。
【００４１】
また、ＩＣカード５を利用した日付が近い選択ボタンを上から配置した利用カード選択画面を表示するようにしてもよい。
例えば、ＩＣカード５から読取った登録番号２１が「１」から「８」まで存在し、その登録番号２１の「１」から「８」にそれぞれ対応してカード名称２３が「Ａ銀行キャッシュカード」、「Ｂ銀行キャッシュカード」、「Ｃ銀行キャッシュカード」、「Ｄ銀行キャッシュカード」、「Ａクレジットカード」、「Ｂクレジットカード」、「Ｃクレジットカード」、「Ｄクレジットカード」であり、最新利用日付２５が「―」、「２００７．１．３１」、「２００６．７．１」、「２００６．１２．１」、「―」、「２００７．１．１０」、「―」、「―」である場合は、図１５（ａ）に示すように利用日付が近い順に画面の左縦列の上から「Ｂ銀行キャッシュカード」、「Ｄ銀行キャッシュカード」、「Ｃ銀行キャッシュカード」、「Ａ銀行キャッシュカード」、また画面の右縦列の上から「Ｂクレジットカード」、「Ａクレジットカード」、「Ｃクレジットカード」、「Ｄクレジットカード」の選択ボタン（入力操作手段）が配置された利用カード選択画面を表示する。
【００４２】
また、最新利用日付２５にＩＣカード５を利用した時刻を付加するようにし、利用した日付および時刻を考慮して選択ボタンを配置するようにしてもよい。
例えば、上記の例において、最新利用日付２５が「―」、「２００７．１．３１、１６：５５」（２００７年１月３１日、１６時５５分を示す）、「２００７．１．３１、１６：５０」（２００７年１月３１日、１６時５０分を示す）、「２００７．１．３１、１７：００」（２００７年１月３１日、１７時００分を示す）、「―」、「２００７．１．１０、１６：００」、「―」、「―」である場合は、図１５（ｂ）に示すように利用日付および時刻が近い順に画面の左縦列の上から「Ｄ銀行キャッシュカード」、「Ｂ銀行キャッシュカード」、「Ｃ銀行キャッシュカード」、「Ａ銀行キャッシュカード」、また画面の右縦列の上から「Ｂクレジットカード」、「Ａクレジットカード」、「Ｃクレジットカード」、「Ｄクレジットカード」の選択ボタン（入力操作手段）が配置された利用カード選択画面を表示する。
【００４３】
このように顧客が利用する可能性が高いと思われる選択ボタンを利用カード選択画面の上方に表示させ、また選択ボタンの大きさや色を他の選択ボタンと異なるものとすることで顧客は容易に希望するカード磁気ストライプ情報を選択し、取引をすすめることができるようになる。
Ｓ８ｂ：利用カード選択画面を表示すると顧客は希望するカード磁気ストライプ情報に対応する選択ボタンを押下するものとする。
【００４４】
Ｓ９ｂ：制御部１５は押下された選択ボタンに対応するカード磁気ストライプ情報の取引を開始する。例えば、「銀行カード」ボタンが押下された場合、通常のキャッシュカードによる支払い等の取引を行うものとし、「Ｂクレジットカード」ボタンが押下された場合、通常のクレジットカードによるキャッシング等の取引を行うものとする。
取引が行われると制御部１５のカード利用情報書込部１５５の指示により、ＩＣカード５に記憶される利用回数２４および最新利用日付２５が更新される。
【００４５】
なお、本実施例ではカード磁気ストライプ情報を選択するための選択ボタンにカードの名称を表示させるようにしたが、カード部１２にカードの表面のイメージデータを読み取るスキャナを設け、そのイメージデータを選択ボタンに表示させるようにしてもよい。
以上説明したように、本実施例では、ＩＣカードに登録されたカード磁気ストライプ情報の利用状況に応じてそのカード磁気ストライプ情報を選択するための選択ボタンの配置、大きさ、色を変更した利用カード選択画面を表示するようにしたことにより、顧客は希望するカード磁気ストライプ情報を容易に選択することができるようになり、顧客の利便性を向上させることができるという効果が得られる。
【図面の簡単な説明】
【００４６】
【図１】実施例における自動取引装置の構成を示すブロック図
【図２】実施例におけるＩＣカードに記憶する情報の説明図
【図３】実施例におけるカードデータの登録処理を示すフローチャート
【図４】実施例における取引選択画面の説明図
【図５】実施例におけるＩＣカード挿入誘導画面の説明図
【図６】実施例における暗証番号入力画面の説明図
【図７】実施例における通信画面の説明図
【図８】実施例における登録カード挿入誘導画面の説明図
【図９】実施例における暗証番号入力画面の説明図
【図１０】実施例における通信画面の説明図
【図１１】実施例におけるカード受取り誘導画面の説明図
【図１２】実施例におけるＩＣカード受取り誘導画面の説明図
【図１３】実施例における登録カードの利用処理を示すフローチャート
【図１４】実施例における取引選択画面の説明図
【図１５】実施例における利用カード選択画面の説明図
【図１６】実施例における利用カード選択画面の説明図
【符号の説明】
【００４７】
１    自動取引装置
２    通信回線
３    ホストコンピュータ
４    利用端末
５    ＩＣカード
１１  顧客操作表示部
１２  カード部
１２１  ＩＣカードリードライト部
１２２  磁気カードリードライト部
１３  入出金部
１４  記憶部
１５  制御部
【図１】
2008242782.tif 000003
【図２】
2008242782.tif 000004
【図３】
2008242782.tif 000005
【図４】
2008242782.tif 000006
【図５】
2008242782.tif 000007
【図６】
2008242782.tif 000008
【図７】
2008242782.tif 000009
【図８】
2008242782.tif 000010
【図９】
2008242782.tif 000011
【図１０】
2008242782.tif 000012
【図１１】
2008242782.tif 000013
【図１２】
2008242782.tif 000014
【図１３】
2008242782.tif 000015
【図１４】
2008242782.tif 000016
【図１５】
2008242782.tif 000017
【図１６】
2008242782.tif 000018